(57)【特許請求の範囲】
【請求項１】
柱状の函体（１）を備える密閉型の一体型バッテリーにおいて、
二枚の側壁（４）と、二枚の長手方向壁（５）と、上部を構成する一枚の横断壁（６）と、前記二枚の長手方向壁（５）に対して垂直で電気化学的組立体を収納するための複数のセル（７）に内部を分割する少なくとも一枚の隔壁（８）とを有してプラスチック製の単体部材からなる槽（２）を備え、
前記二枚の側壁（４）と前記二枚の長手方向壁（５）と前記隔壁（８）との各下面に気密状に固定されて前記槽（２）の底部を構成するための単体からなる閉鎖手段（３）を備え、
前記二枚の長手方向壁（５）中の一方の長手方向壁（５）に気密状に固定されてこの一方の長手方向壁（５）と協働して冷却液を循環させるための空間（２０）を区画形成する一方の側板（９）と、前記二枚の長手方向壁（５）中の他方の長手方向壁（５）に気密状に固定されてこの他方の長手方向壁（５）と協働して冷却液を循環させるための空間（２０’）を区画形成する他方の側板（９）とを備え、
前記空間（２０）、（２０’）と連通して冷却液を導き入れるための入口側の配管及び冷却液を導き出すための出口側の配管であり、前記横断壁（６）上で前記二枚の長手方向壁（５）に平行なセンターゾーンと平行な一側のサイドゾーンに沿って配置され且つ前記横断壁（６）内に設けられた通路（２１）によって内部が連通する二つの配管（１０）を備え、
前記空間（２０）、（２０’）に通じており、前記横断壁（６）上に並設されつつ前記センターゾーン内に集められており、電流の出力端子（３１、３２）、（３１’、３２’）を設置させるように前記セル（７）毎に設けられた二つの開口部（１１）を備え、
前記横断壁（６）上で前記センターゾーンと平行な他側のサイドゾーンに沿って配置されており、圧力過剰の際に気体を排出するための安全弁（３４）を設置させるように前記セル（７）毎に設けられた一つの排出用開口部（１２）を備えていることを特徴とする密閉型の一体型バッテリー。
【請求項２】
前記横断壁（６）は、温度測定手段を設置するために、少なくとも一つの窪部（１３）を有し、
この窪部（１３）は、前記セル（７）内に非貫通状態で、前記安全弁（３４）を設置するための隣接した前記開口部（１２）の間に配置されていることを特徴とする請求項１に記載の密閉型の一体型バッテリー。
【請求項３】
前記横断壁（６）は、隣接する前記二つの配管（１０）の間に配置されたハウジング（１４）を有することを特徴とする請求項１又は請求項２に記載の密閉型の一体型バッテリー。
【請求項４】
前記函体（１）の全ての部分は、プラスチック製であることを特徴とする請求項１〜３のいずれか１項に記載の密閉型の一体型バッテリー。
【請求項５】
前記センターゾーンの幅は、前記横断壁（６）の幅の半分であることを特徴とする請求項１〜４のいずれか１項に記載の密閉型の一体型バッテリー。
【請求項６】
前記横断壁（６）の幅は、短くても７０ｍｍに等しく、長くても１８０ｍｍに等しいことを特徴とする請求項１〜５のいずれか１項に記載の密閉型の一体型バッテリー。
【請求項７】
前記横断壁（６）の輪郭の高さは、高くとも４０ｍｍに等しいことを特徴とする請求項１〜６のいずれか１項に記載の密閉型の一体型バッテリー。
【請求項８】
前記横断壁（６）上に密閉状に固定されたカバー（３５）は、外部結線に接続するための極性が逆の前記端子（３１’、３２’）を除いて、他の前記端子（３１、３２）を被覆していることを特徴とする請求項１〜７のいずれか１項に記載の密閉型の一体型バッテリー。
【請求項９】
前記カバー（３５）は、二つの異なる前記セル（７）にそれぞれ属し且つ電気的に接続された極性が逆の前記端子（３１’、３２’）の周囲に、密閉状に融着されていることを特徴とする請求項８に記載の密閉型の一体型バッテリー。
【請求項１０】
前記カバー（３５）は、長手方向のワイヤを所定位置に保持するための保持手段を有し、
この保持手段は、前記横断壁（６）と平行な方向に前記カバー（３５）を越える横向きのアーム（３７）で構成されていることを特徴とする請求項８又は請求項９に記載の密閉型の一体型バッテリー。
【請求項１１】
前記カバー（３５）は、横断方向の前記ワイヤを案内する案内手段を有し、
この案内手段は、前記カバー（３５）の表面に設けられた横断方向の溝（３８）から構成されていることを特徴とする請求項８〜請求項１０のいずれか１項に記載の密閉型の一体型バッテリー。
【請求項１２】
前記閉鎖手段（３）は、平坦な形状のプラスチック製の部材であり、一つの前記セル（７）の周囲によって区分されたその各表面（４０）に、前記函体（１）の外側を向いた凹部を設けていることを特徴とする請求項１〜請求項１１のいずれか１項に記載の密閉型の一体型バッテリー。
【請求項１３】
前記函体（１）を囲むフレームは、二本のタイビームで保持された二枚のプレートで構成され、
この二枚のプレートは、前記函体（１）の各端部に前記二枚の側壁（４）と接触して配置されることを特徴とする請求項１〜請求項１２のいずれか１項に記載の密閉型の一体型バッテリー。
【請求項１４】
前記二枚のプレートは、前記函体（１）の外側を向いた凹面を有することを特徴とする請求項１３に記載の密閉型の一体型バッテリー。
【請求項１５】
前記二枚の側壁（４）は、前記二枚のプレートの形状に合致する外側に向いた凹面を有することを特徴とする請求項１４に記載の密閉型の一体型バッテリー。
【発明の詳細な説明】
【０００１】
【発明の属する技術分野】
本発明は、密閉型の一体型バッテリーに関する。一体型の概念では、蓄電池のユニットは、概してプラスチック製で角柱状の単一容器内に形成されたセルの中に収納されている。各ユニットは、セパレーターによって互いに分離され、陽極と陰極が交互になったアセンブリからなる電気化学的組立体である。
【０００２】
【従来の技術】
ヨーロッパ特許出願ＥＰ−０５９６７７８には、循環用の冷却液による冷却装置を備えた、プラスチック製の函体からなる一体型バッテリーについての記載がある。この冷却装置は、函体の対向する二つの側壁に密閉状に溶接された二枚の側板からなる。各側板は対応する側壁と協働して冷却水循環用の各空間を区画形成し、上部には冷却液のための入口開口部と出口開口部とが形成されている。
【０００３】
このような装置では、各空間に対して、冷却液の入口と出口のための二つの接続部が必要になる。数個の一体型バッテリーが連結される場合、これらの接続部のために、管路形成が複雑で嵩張るものとなリ（交差部、接続部の長さ、等）、バッテリーの数が増えると共に冷却システム全体の密閉性が低下していた。
【０００４】
また、ヨーロッパ特許出願ＥＰ−０６２４９１６には、温度管理のための別のシステムが記載されている。ここでは、冷却液循環用の各空間は、電池槽をセルに仕切る隔壁内に設置されており、各空間どうしは、取リ付けられた蓋に設けられた長手方向の傾斜路によって共通の入口と出口に連結されている。これらの傾斜路は幾つかの接続可能な部品で形成された管用の内部から構成されており、各空間は偶々に傾斜路に連結されている。
【０００５】
接続部の設置数が増えると、装置の密閉性が低下する。さらに、冷却液循環用の空間を設けることと、長手方向に延びた二つの傾斜路の存在とは、バッテリーの体積を著しく増加させ、また、蓋の上の面を複雑にする。冷却システムの嵩張りを解消するために、蓋には外部回路への接続に必要な二つの電気端子のみが設けられる。このような構成は、隣接する二つのセルの分離隔壁が気密状に横断する前に、内部の電気結合装置を使用することを前提としている。これらの装置は、アルカリ性の電解液を備えた密閉型の一体型バッテリーの場合、電気自動車中での使用するには電気的にも機械的にも信頼性が十分とは言えない。
【０００６】
【発明が解決しようとする課題】
したがって、本発明の目的は、温度制御装置を備えておりながら、嵩張らず、しかも信頼性の高い密閉型の一体型バッテリーを提供することである。
【０００７】
【議題を解決するための手段】
上記の目的を達成するために、本発明による密閉型の一体型バッテリーは、角柱状の函体を備え、下記の構成を備えていることを特徴としている。
【０００８】
柱状の函体（１）を備える密閉型の一体型バッテリーにおいて、
二枚の側壁（４）と、二枚の長手方向壁（５）と、上部を構成する一枚の横断壁（６）と、前記二枚の長手方向壁（５）に対して垂直で電気化学的組立体を収納するための複数のセル（７）に内部を分割する少なくとも一枚の隔壁（８）とを有してプラスチック製の単体部材からなる槽（２）を備え、
前記二枚の側壁（４）と前記二枚の長手方向壁（５）と前記隔壁（８）との各下面に気密状に固定されて前記槽（２）の底部を構成するための単体からなる閉鎖手段（３）を備え、
前記二枚の長手方向壁（５）中の一方の長手方向壁（５）に気密状に固定されてこの一方の長手方向壁（５）と協働して冷却液を循環させるための空間（２０）を区画形成する一方の側板（９）と、前記二枚の長手方向壁（５）中の他方の長手方向壁（５）に気密状に固定されてこの他方の長手方向壁（５）と協働して冷却液を循環させるための空間（２０’）を区画形成する他方の側板（９）とを備え、
前記空間（２０）、（２０’）と連通して冷却液を導き入れるための入口側の配管及び冷却液を導き出すための出口側の配管であり、前記横断壁（６）上で前記二枚の長手方向壁（５）に平行なセンターゾーンと平行な一側のサイドゾーンに沿って配置され且つ前記横断壁（６）内に設けられた通路（２１）によって内部が連通する二つの配管（１０）を備え、
前記空間（２０）、（２０’）に通じており、前記横断壁（６）上に並設されつつ前記センターゾーン内に集められており、電流の出力端子（３１、３２）、（３１’、３２’）を設置させるように前記セル（７）毎に設けられた二つの開口部（１１）を備え、
前記横断壁（６）上で前記センターゾーンと平行な他側のサイドゾーンに沿って配置されており、圧力過剰の際に気体を排出するための安全弁（３４）を設置させるように前記セル（７）毎に設けられた一つの排出用開口部（１２）を備えている。
【０００９】
本発明による一体型バッテリーの槽は、セルを仕切る隔壁を含んだ、成形による単体からなる。長手方向壁の各々は側板によって仕切られて独立した冷却液循環用の各空間を有し、ここを冷却液が循環する。冷却液循環用の空間は冷却液の入口と出口の高さで接続され、各空間内における冷却液の循環は互いに独立したものとなっている。同じ一体型バッテリーの各空間どうしの接続は、横断壁の厚みの中で、例えば中空のチューブの形態で行われる。この構成は、本発明による一体型バッテリーに次のような主要な利点を与える。すなわち、接続部がないことから、冷却液が漏洩する危険性が抑えられ、また、装置が嵩張り難い。
【００１０】
この一体型バッテリーは、蓄電池ユニットを受けるセル毎に、陽極の端子と陰極の端子を有する。これによって、隔壁の密閉状横断を必要とする内部装置を、電気的な接続のために用いることが避けられる。したがって、当該一体型バッテリーは、特に隣接するセル内に収納されている二つの電気化学的組立体どうしの間での漏洩の進行を抑えることによって、信頼性が増した。対を形成する端子は帯状に配置されているために、ユニットどうしの電気的な接続に必要な結線の長さが短くて済む。
【００１１】
電解化学的アセンブリを各セルに導入し、予め電気化学的組立体に接続された端子を、その対応する開口部に設置した後、函体を一体型バッテリーの底部に相当する閉鎖手段によって閉鎖する。閉鎖手段は、単に電池の槽の側壁と長手方向壁にのみならず、各隔壁に対しても固定される。この方法で各セルは密閉状に閉じられる。閉鎖手段の固定は、例えば接着或いは融着で行えば良い。
【００１２】
各セルには安全弁が設けられている。安全弁は閉鎖手段の固定と各セルへの電解液の充填が行われた後で設置される。電解液は、安全弁を設置するための排出用開口部から、安全弁の設置を行う前に充填される。
【００１３】
実施形態の一つの変形例によれば、前記横断壁はさらに温度測定手段を受けるための非貫通状、つまりセル内に非貫通の窪部を少なくとも一つ有し、この窪部は前記安全弁のための二つの開口部の間に配置されている。この窪部は、バッテリーの密閉性を保つためにセル内に貫通していてはならない。
【００１４】
また別の変形例によれば、前記横断壁はさらに、前記配管どうしの間に配置された非貫通状、つまりセル内に非貫通のハウジングを有する。このハウジングは例えば、バッテリーを外部の回路に接続するための電気結線、或いは、一体型バッテリーの制御および管理のための電子部品を収納するために用いられる。これらの電子部品とはすなわち、例えばヨーロッパ特許出願ＥＰ−０６２３８２８に記載されている電子部品である。
【００１５】
本発明の具体的な実施形態によれば、前記函体（槽、側板、および、底部）の全ての部分はプラスチック製であり、同一の材質で形成されることが好ましい。材質としては、例えば、ポリアミド６（ＰＡ６）、ポリアミド１１（ＰＡ１１）、ポリアミド１２（ＰＡ１２）、ポリプロピレンの酸化物（ＰＰＯ）、ポリスルホン（ＰＳＵ）、ポリエーテルスルホン（ＰＥＳ）、スチレン／アクリロニトリルの共重合体（ＳＡＮ）、アクリロニトリル／ブタジエン／スチレンの三元重合体（ＡＢＳ）、ポリプロピレン（ＰＰ）等の熱可塑性材料、以上の材料どうしの共重合体、または、ヨーロッパ特許出願ＥＰ−０７３６９１６に記載されたもののような重合体のポリマーブレンドを用いる。工業化は、部品どうしの組立を融着、赤外融着、加熱ミラーによる融着（熱融着とも呼ばれる）、振動融着、或いは、材料に適する場合には超音波融着等から選択することによって容易になる。場合によっては、この組立は接着によっても同様に実施できる。
【００１６】
電気端子に当てられている開口部の対どうしは、横断壁の中心に位置するゾーンを形成するように並んでいる。再び、本発明の具体的な実施形態によれば、前記センターゾーンの幅は前記横断壁の幅の半分である。安全弁の排気用開口部と、場合によっては非貫通状、つまりセル内に非貫通の窪部とは、前記中心ゾーンに沿って横断壁の一方の側に並んでいる。反対の側には、配管が場合によって一つのハウジングを包囲しながら位置している。
【００１７】
横断壁の幅は蓄電池ユニットの数、したがって、一体型バッテリーが保有するセルの数に左右される。前記横断壁の幅は、短くても７０ｍｍに等しく、長くても１８０ｍｍに等しい。横断壁の幅が小さ過ぎると、冷却液循環用の空間の占める体積が、一体型バッテリーの単位容積当たりのエネルギーから見て非常に不利である。他方、横断壁の幅が大き過ぎると、冷却液循環用の空間どうしが互いに離れ過ぎて、熱がセル群の中心部まで充分効果的に伝達されない。
【００１８】
前記横断壁の輪郭（フランス語で、ｖｏ１ｕｍｅ  ｅｎｖｅ１ｏｐｐｅ）の高さは、高くとも４０ｍｍに等しいのが好ましく、さらに、３０ｍｍよリ小さい方がよリ好ましい。本発明による一体型バッテリーの総合的な嵩張リ方は、従来技術のバッテリーに比して非常に低い。さらに、一体型バッテリーの組立作業は、冷却液の入口と出口の位置をうまく選択することによって最適化する。
【００１９】
本発明をさらに修正した一つの実施形態によると、前記横断壁に密閉状に固定されたカバーは、外部結線に接続するための極性が逆の二つの端子を除いて、前記端子を被覆している。場合によって、前記カバーは、二つの異なるセルにそれぞれ属しかつ互いに電気的に連結された極性が逆の各端子対の周囲に、密閉状に融着されており、これによって、気体が漏洩する危険性が減少する。
【００２０】
一体型バッテリーの回路を外部回路に、或いは、隣接した一体型バッテリーに電気的に接続する場合、一体型バッテリーのパラメーター（温度、電圧、圧力、等）に応じて、ワイヤを横断壁の一方から他方に張リ巡らすことが必要になる。一つの変形例によると、前記カバーは長手方向のワイヤを所定位置に保持するための保持手段を有し、前記保持手段は、前記横断壁と平行方向に前記カバーを越える横向きアームで構成されている。もう一つの変形例によると、前記カバーは横断方向のワイヤを案内する手段を有し、この案内手段は、カバーの表面に設けられた横断方向の溝から構成されている。
【００２１】
本発明をさらに修正した一つの実施形態によると、前記閉鎖手段は概して平坦な形状のプラスチック製の部材であり、一つのセルによって区分されたその各表面部分には、前記一体型バッテリーの函体の外側を向いた凹部が設けられている。密閉型の一体型バッテリーの各セルは稼働中に、外気圧に対して少なくとも１×１０５  パスカル（１バール）の圧力に到達する場合があり、バルブである安全弁のリリース圧は概して１×１０５  パスカル（１バール）から３×１０５  パスカル（３バール）の間である。この圧力は特に函体の底部に応力を加えてこれを変形させようとする。この変形が一体型バッテリーの輪郭の外側まで広がらないように、各セルを閉鎖する面に対してこの変形を補償するような断面が与えられている。
【００２２】
本発明を修正した別の実施形態によると、一体型バッテリーは、タイビームで連結された二枚のプレートからなるフレーム上に保持され、これらのプレートは前記側壁と接触するように配置されている。フレームとタイビームは通常は金属製である。フレームは一体型バッテリーの強度を高める。また、フレームは幾つかの一体型バッテリーを組み合わせることにも役立つ。尚、前記プレートは前記一体型バッテリーの函体の外側を向いた凹面を有することが好ましい。さらに、前記側壁が、外側を向きかつ前記プレートの形状に合致する凹面を有することが好ましい。
【００２３】
本発明による一体型バッテリーは、特に、車輪（鉄道、ならびに、自動車や二輪車などの道路用車輌）の始動や牽引、および、援助（照明、鉄道）に用いられる。一体型であることによって、単位容積および単位質量当たりのエネルギーが高くなり、これは特に電気自動車の場合に有利である。特に鉛、ニッケル、或いは、リチウムを用いた蓄電池を用いることができる。
【００２４】
本発明の他の特徴と利点は、後述する実施形態と図面を参照するにつれて明らかになるだろう。ただし、実施形態はあくまで例として示されるに過ぎず、これに限定されることがないことは言うまでもない。
【００２５】
【発明の実施の形態】
図１は、本発明による容量１２０Ａｈ、電圧７．２Ｖの一体型水素化ニッケル金属バッテリーの函体１を示す。角柱型の函体１は、ポリプロピレン製の槽２と、底部を構成する閉鎖手段３からなる。槽２は、二枚の側壁４と、二枚の長手方向壁５と、上部を構成する一枚の横断壁６とを備えている。槽２は、隔壁８によって六つのセル７に分割されている。各セル７には、一つの蓄電池ユニット、すなわち、セパレーターによって互いに分離された陽極と陰極との交互アセンブリから構成された電気化学的組立体が収納される。一旦蓄電池ユニットが各セルに導入されると、閉鎖手段３は槽２に熱融着される。
【００２６】
冷却液のための循環用の空間２０を形成するために、側板９が長手方向壁５に融着されている。空間２０と側板９を合わせた厚さは約２から４ｍｍである。横断壁６は液体の入口と出口のための配管１０を備えている。
【００２７】
図２に示されるように、端子３１、３１、３１’、３１’を設置するための開口部１１は、横断壁６のセンターにゾーンを形成しながら二つずつ並設されている。バルブである安全弁３４を設置するための排出用開口部１２が、センターゾーンに沿って配管１０と反対側に並べられている。
【００２８】
さらに、一つの非貫通状、つまりセル７内に非貫通の窪部１３を設け、ここに一体型バッテリーの内部温度を測定するための温度測定手段を設置することができる。場所をとらないように、窪部１３は、二つの排出用開口部１２の間に配置することが好ましい。
【００２９】
また、横断壁６の厚み内の配管１０どうしの間に、例えば一体型バッテリーの制御および管理用の電子部品を収納するための、非貫通状、つまりセル７内に非貫通のハウジング１４を配置することができる。
【００３０】
図３は、ＩＩＩ−ＩＩＩ線による概略断面図を示す。一枚の側板９が各長手方向壁５に熱融着されており、環境に応じて一体型バッテリーを冷却または再加熱するための冷却液を循環させる空間２０、２０’の境界を限定している。類似のシステムがヨーロッパ特許出願ＥＰ−０５９６７７８に記載されている。冷却には、例えば、液体の他に、空気を用いることができる。冷却液としては、例えば水とエチレングリコールの混合物が良い。通路２１は、例えば冷却液の導入のために、空間２０、２０’に連通する配管１０の内部と連通させる。
【００３１】
図４は、セル７に電気化学的組立体を導入し、電解液を充填した後で端子３１、３２、３１’、３２’とバルブである安全弁３４を取リ付けた本発明による一体型バッテリーの平面図を示す。ここにが見られる電流の出力端子は、横断壁６の中心に互いに二つずつ並んだセル毎の各極性の端子に対応して陽極端子３１と陰極端子３２が交互になっている。平坦な結線３３を用いて、最初のセル７の陽極端子３１を隣接する次のセル７の陰極端子３２に電気的に接続する。
【００３２】
各セルには、圧力過剰の場合のために安全弁３４が設けられている。アルカリ性の密閉型蓄電池では、安全弁３４のリリース圧は相対圧で１×１０５  パスカル（１バール）と３×１０５  パスカル（３バール）の間が普通で、約２×１０５  パスカル（２バール）である場合が最も多い。
【００３３】
端子３１、３２は、好ましくは横断壁６の端部付近に位置する一つの陽極端子３１’と一つの陰極端子３２’とを除いて、カバー３５によって被覆されている。端子３１’、３２’は、結線３３を持たず、外部の回路に電気的に連結されるためのものである。カバー３５は横断壁６に密閉状に熱融着されている。熱融着は、結線３３によって連結された各端子３１、３２が、熱融着によって形成された閉じられた連続的なビード３６によって包囲されるように実施される。
【００３４】
一体型バッテリーのハンドリング操作を容易にするために、カバー３５から横向きのアーム３７が横断壁６と平行に突出している。一体型バッテリーの長手方向に延びるワイヤはこのアーム３７と横断壁６との間の空間に配置されて、位置決めされる。同様の目的から、カバー３５の上面を横切る溝３８を一つ或いは複数設けることによって、ワイヤをこの方向に案内しても良い。
【００３５】
ハウジング１４には、例えば電子部品の入った部品函体３９が設けられている。この部品函体３９は、一旦ハウジング１４内に設置されると、その高さが横断壁６の輪郭の高さを超えないように決められている。
【００３６】
図示された一体型バッテリーの幅Ｌは２５０ｍｍ、長さＩは１２０ｍｍ、全体の高さＨは２００ｍｍである。取リ付けられた横断壁６の輪郭の全体の高さｈは、カバーも含めて２５ｍｍである。
【００３７】
図５は、本発明の一つの変形例を示す。ここでは、函体１の閉鎖手段３は、一体型バッテリーの６個のセル７に対応した６つの表面４０を有する。表面４０は平坦な領域４１によって仕切られており、これらの領域４１は、槽２の側壁４、長手方向壁５、並びに、対応する隔壁８に熱融着される。表面４０は、凹面側が一体型バッテリーの函体１の外側を向いた丸みのある形状を持つ。したがって、内部の過剰圧力による軽度（すなわちｍｍオーダーの）の変形は、一体型バッテリーの函体１の輪郭内に納められる。
【００３８】
機械的な強度を高め、持ち運びを容易にするために、この一体型バッテリーを金属製のフレームで囲んでも良い。フレームは、二本のタイビームで保持された二枚のプレートで構成され、これらのプレートは一体型バッテリーの各端部に側壁４と接触する状態で配置される。
【００３９】
前記プレートの幅は、電気化学的組立体の幅に応じて、１１ｍｍと２０ｍｍの間、好ましくは４ｍｍと１５ｍｍの間となっている。一体型バッテリーの函体１の重量が著しく増大するのを避けるために、プレートの剛性を維持するために必要なリブが二つの面の間に残るように注意しながら、プレート内を空洞化することが望ましい。
【００４０】
前記プレートとタイビームの材質は、よリ高い機械的な強度を得るために、アルミニウム合金、ステンレス鋼、被覆鋼、複合材料などといった金属系が好ましい。
【００４１】
前記プレートには一体型バッテリーの函体１の外側を向いた凹部が設けられ、側壁４にも同様に、プレートの形状に合致するような、函体１の外側を向いた凹部が設けられていることが好ましい。電気化学的組立体の膨張によって生じる変形は、前記プレートの厚さの５〜２０％、例えば、厚さ９．５ｍｍのプレートに対して約１ｍｍである。したがって、変形は一体型バッテリーの輪郭の内部に収まる。
【図面の簡単な説明】
【００４２】
【図１】本発明による一体型バッテリーの函体を下方から見た斜視図である。
【図２】本発明による一体型バッテリーの函体の概略平面図である。
【図３】図２の一体型バッテリーのＩＩＩ−ＩＩＩ線による概略断面図である。
【図４】本発明による一体型バッテリーの図２に類した図である。
【図５】閉鎖手段の変形例を示す略図である。
【符号の説明】
【００４３】
１  函体
２  槽
３  閉鎖手段
４  側壁
５  長手方向壁
６  横断壁
７  セル
８  隔壁
９  側板
１０  配管
１１  開口部
１２  排出用開口部
１３  窪部
１４  ハウジング
２０  空間
２０’空間
２１  通路
３１  陽極端子
３２  陰極端子
３３  結線
３４  安全弁
３５  カバー
３７  アーム
３８  溝
３９  部品函体
４０  表面
４１  領域
【図１】
0004358327.tif 000002
【図２】
0004358327.tif 000003
【図３】
0004358327.tif 000004
【図４】
0004358327.tif 000005
【図５】
0004358327.tif 000006